【手続補正書】
【提出日】平成23年9月7日(2011.9.7)
【手続補正１】
【補正対象書類名】明細書
【補正対象項目名】発明の名称
【補正方法】変更
【補正の内容】
【発明の名称】シート穿孔装置
【手続補正２】
【補正対象書類名】特許請求の範囲
【補正対象項目名】全文
【補正方法】変更
【補正の内容】
【特許請求の範囲】
【請求項１】
紙葉にパンチ部材を回転させながら穿孔する装置であって、
ベースフレームに上死点と下死点との間で移動可能に支持されたパンチ部材と、
前記パンチ部材を往復動する駆動モータと、
前記駆動モータの回転運動を前記パンチ部材の往復運動に変換して伝達する伝動手段と、
前記駆動モータを制御する駆動制御手段と、
を備え、
前記伝動手段は、
所定ストロークで往復直線動又は往復回転動する往復伝動部材と、
前記各パンチ部材に設けられ前記往復伝動部材の往復動をパンチ部材に回転動として伝達する受動歯車と、
前記各パンチ部材に設けられ穿孔方向に所定角度で傾斜した傾斜カム面を有する円筒カムと、
前記ベースフレームに設けられ、前記傾斜カム面と係合するカムピンと、
で構成され、
前記傾斜カム面は前記往復伝動部材が第１、第２のホームポジション間を復動作する過程で前記パンチ部材を上死点から下死点に移動した後上死点に復帰させるように構成され、
前記駆動制御手段は、
前記駆動モータを正逆転して前記往復伝動部材を所定ストロークで往復動させ、前記パンチ部材と受動歯車と円筒カムを回転させながら穿孔方向に往復動することを特徴とするシート穿孔装置。
【請求項２】
前記往復伝動部材は、ラック又はタイミングベルトであることを特徴とする請求項１に記載のシート穿孔装置。
【請求項３】
前記往復伝動部材は、所定ストロークで往復動するスライド部材に形成されたラックであることを特徴とする請求項２に記載のシート穿孔装置。
【請求項４】
前記傾斜カム面は、前記パンチ部材に設けられた円筒カムに形成されていることを特徴とする請求項１に記載のシート穿孔装置。
【請求項５】
前記パンチ部材は、前記ベースフレームに上下方向に上死点と下死点との間で往復動可能に支持され、
前記ラックは前記ベースフレームに左右方向に所定ストロークで往復動可能に支持されていることを特徴とする請求項１に記載のシート穿孔装置。
【請求項６】
前記カム手段は、
前記往復伝動部材が第１、第２のポジション間を移動する過程で前記パンチ部材を上死点から下死点に移動した後、上死点に復帰させるように構成されていることを特徴とする請求項１乃至３のいずれか１項に記載のシート穿孔装置。
【請求項７】
前記往復伝動部材には、前記第１、第２のホームポジションで移動負荷を増大するブレーキ手段が設けられていることを特徴とする請求項１乃至４のいずれか１項に記載のシート穿孔装置。
【手続補正３】
【補正対象書類名】明細書
【補正対象項目名】０００７
【補正方法】変更
【補正の内容】
【０００７】
そこで本発明者はパンチ部材を回転させながらシートに穿孔するとの着想に至った。このようにパンチ部材を回転させながら穿孔方向に移動することによって厚紙シートから薄紙シートまで穿孔することが可能となる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、簡単な構造で厚紙シートから薄紙シートまで穿孔することが可能なシート穿孔装置の提供をその課題としている。
【手続補正６】
【補正対象書類名】明細書
【補正対象項目名】００１０
【補正方法】変更
【補正の内容】
【００１０】
本発明にあって往復伝動部材とは所定ストロークで往復直線動又は往復回転動するスライドカム、ラック歯車、タイミングベルト、偏心カム、回転摩擦車などの伝動部材を云う。
そこで本発明は、上述の課題を達成するため以下の構成を採用する。
ベースフレームに上死点と下死点との間で移動可能に支持されたパンチ部材と、前記パンチ部材を往復動する駆動モータと、前記駆動モータの回転運動を前記パンチ部材の往復運動に変換して伝達する伝動手段と、前記駆動モータを制御する駆動制御手段とを備える。
【手続補正７】
【補正対象書類名】明細書
【補正対象項目名】００１１
【補正方法】変更
【補正の内容】
【００１１】
そして上記伝動手段は、所定ストロークで往復直線動又は往復回転動する往復伝動部材と、前記各パンチ部材に設けられ前記往復伝動部材の往復動をパンチ部材に回転動として伝達する受動歯車と、前記各パンチ部材に設けられ穿孔方向に所定角度で傾斜した傾斜カム面を有する円筒カムと、前記ベースフレームに設けられ、前記傾斜カム面と係合するカムピンとで構成し、前記傾斜カム面は前記往復伝動部材が第１、第２のホームポジション間を復動作する過程で前記パンチ部材を上死点から下死点に移動した後上死点に復帰させるように構成する。
上記駆動制御手段は、上記駆動モータを正逆転して前記往復伝動部材を所定ストロークで往復動し、前記パンチ部材と受動歯車と円筒カムを回転させながら穿孔方向に往復動する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明は、駆動モータの回転力をパンチ部材に回転動として伝達し、このパンチ部材の回転を、このパンチ部材を回転させながら穿孔方向運動に変換するカム手段を設けたものであるから、パンチ部材の回転で厚紙シートから薄紙シートまで穿孔することが可能である。
【手続補正１３】
【補正対象書類名】明細書
【補正対象項目名】００１７
【補正方法】変更
【補正の内容】
【００１７】
これと共に、本発明は、駆動モータの回転運動を所定ストロークで往復直線動又は往復回転動する往復伝動部材に伝達し、この往復伝動部材の往復動を歯車でパンチ部材に回転動として伝達し、パンチ部材と受動歯車と円筒カムを一体に回転させながら穿孔方向に移動させるという斬新な穿孔機構を提供するものである。
【手続補正１４】
【補正対象書類名】明細書
【補正対象項目名】００２０
【補正方法】変更
【補正の内容】
【００２０】
［第１実施形態］
図１に示す穿孔装置Ａは４つのパンチ部材で被穿孔シートに２穴又は４穴の穿孔を施す装置を示し、このパンチ部材を所定ストロークで往復動するスライド部材のラックで穿孔動作させる構成を示す。また図示のものは各パンチ部材４０ａ、４０ｂ、４０ｃ、４０ｄが上死点から下死点にラジアル方向に回転しながらスラスト方向（穿孔方向）に穿孔動作する装置を示している。以下その構成について説明する。
【手続補正１５】
【補正対象書類名】明細書
【補正対象項目名】００２４
【補正方法】変更
【補正の内容】
【００２４】
そこで前記パンチ部材４０にはカム手段（図示のものは円筒カム４４）が一体に設けてあり、この円筒カム４４の外周には傾斜カム面４５θを有するカム溝４５が形成してある。
この円筒カム４４で構成したカム手段は後述するようにパンチ部材４０に作用する駆動力をスラスト方向とラジアル方向に運動変換する運動変換手段を構成している。
一方前記上部フレーム３０にはこのカム溝４５と係合するカムフォロア部材（カムピン：以下同様）３３が固定してある。
図示のカムピン３３は、台座部３３ａとガイド軸部３３ｂとカム係合部（カムピン）３３ｃとを備え、前記ガイド孔３１ａ、３２ａと所定の位置関係となるように上部フレーム３０に形成した取付け孔に嵌合し台座部３３ａをビスなどで固定する。そしてガイド軸部３３ｂは後述するスライド部材５０をガイドし、カムピン３３ｃは前記カム溝４５と係合するピン形状に構成されている。
従ってパンチ部材４０は上部フレーム３０に上下摺動自在に支持され、これに設けたカムピン３３ｃにカム溝４５が係合保持される。このカムピン３３ｃがカムフォロアを構成している。